(57)【要約】【課題】  インバランスが低減された情報記録媒体の製造方法を提供すること。【解決手段】  複数枚の円盤状の基板を貼り合わせることによる情報記録媒体の製造方法において、予め、同心円状の凹凸形状等の光学的に識別可能な手法により基板に記録されている基板重量のインバランスに対応した角度情報を検出し、検出された角度情報に基づき、それぞれの基板のインバランスをキャンセルするように基板相互の貼り合わせ角度を演算により求め、求めた貼り合わせ角度に基づき複数枚の基板を貼り合わせることにより、基板のインバランスがキャンセルされた貼り合わせ型の情報記録媒体の製造方法。【選択図】  図１
2006172539.tif 000002
【特許請求の範囲】
【請求項１】
複数枚の円盤状の基板を貼り合わせる情報記録媒体の製造方法であって、
前記基板に記録されている当該基板の回転軸に対する基板重量のインバランスに対応した角度情報を検出する角度情報検出ステップと、
角度情報検出ステップにより検出された前記角度情報に基づき、複数枚の前記基板の前記インバランスをキャンセルするように当該基板相互の貼り合わせ角度を調整する角度調整ステップと、
角度調整ステップにより貼り合わせ角度を調整された複数枚の前記基板を貼り合わせる基板貼り合わせステップと、
を有することを特徴とする情報記録媒体の製造方法。
【請求項２】
前記基板貼り合わせステップは、複数枚の前記基板をプレスしつつ回転させることを特徴とする請求項１記載の情報記録媒体の製造方法。
【請求項３】
前記基板貼り合わせステップは、複数枚の前記基板を所定の吸引手段により吸着しつつ回転させることを特徴とする請求項１記載の情報記録媒体の製造方法。
【請求項４】
複数枚の円盤状の基板を貼り合わせた情報記録媒体の製造システムであって、
前記基板に記録されている当該基板の回転軸に対する基板重量のインバランスに対応した角度情報を検出する角度情報検出手段と、
角度情報検出手段により検出された前記角度情報に基づき、複数枚の前記基板の前記インバランスをキャンセルするように当該基板相互の貼り合わせ角度まで回転させる基板回転手段と、
前記基板上に当該基板を貼り合わせるための接着剤を塗布する接着剤塗布手段と、
接着剤塗布手段により前記接着剤が塗布された前記基板を当該接着剤を介して貼り合わせた後所定の圧力を加えるプレス手段と、
を有することを特徴とする情報記録媒体の製造システム。
【請求項５】
前記角度情報検出手段は、
前記角度情報を光学的に読み取るスキャナー部と、
前記スキャナー部により読み取られた前記角度情報に基づき、前記基板相互の貼り合わせ角度にあわせるための補正角度量を演算処理する演算処理部と、
を備えることを特徴とする請求項４記載の情報記録媒体の製造システム。
【請求項６】
前記基板回転手段は、
前記角度情報に基づき前記基板相互の貼り合わせ角度まで回転させた後にロックする機能と、
前記ロックされた前記基板を搬送または他の基板と重ねる機能と、
を備えることを特徴とする請求項４記載の情報記録媒体の製造システム。
【請求項７】
複数枚の円盤状の基板をインバランスがキャンセルされるように貼り合せた情報記録媒体であって、
前記基板上に形成された情報を記録する情報記録領域を備え、
前記基板上の前記情報記録領域以外の領域に前記インバランスに対応した角度情報が記録されていることを特徴とする情報記録媒体。
【請求項８】
情報記録膜を備える少なくとも１枚の前記基板と情報記録膜を備えないダミー基板とを貼り合わせ、
少なくとも前記ダミー基板に、当該ダミー基板の回転軸に対する基板重量の前記インバランスに対応した前記角度情報が記録されていることを特徴とする請求項７記載の情報記録媒体。
【請求項９】
前記情報記録領域以外の領域に、前記角度情報が記録された、同心円状の凹凸形状からなるリブ部をさらに備えることを特徴とする請求項７記載の情報記録媒体。
【請求項１０】
前記角度情報は、光学的に識別可能な情報として記録されていることを特徴とする請求項７記載の情報記録媒体。
【請求項１１】
前記光学的に識別可能な前記情報として、前記基板に凹凸が記録されていることを特徴とする請求項１０記載の情報記録媒体。
【請求項１２】
前記光学的に識別可能な前記情報として、前記基板にバーコード状の当該情報が記録された凹凸を有することを特徴とする請求項１０記載の情報記録媒体。
【発明の詳細な説明】
【技術分野】
【０００１】
本発明は、情報記録媒体の製造方法等に関し、より詳しくは、インバランスが軽減された情報記録媒体の製造方法等に関する。
【背景技術】
【０００２】
近年、コンピュータ用情報のみならず、音声や静止画像、動画像などの情報を保存するための情報記録媒体として光情報記録媒体が実用化されている。光情報記録媒体は更なる高密度化や高速転送化に伴い、記録再生時の回転数も更なる高速化の一途を辿っている。このため、高速回転対応型になるほど、光情報記録媒体のバランス特性（以下、インバランスと記することがある。）は非常に重要である。即ち、記録再生のための回転中において、そのインバランス量が大きいと回転数に比例して発生する騒音や振動が増大する。また、スピンドルシャフトのせん断モーメントも増大するため、スピンドル系への悪影響も懸念される。そのため、より高速回転対応型であるほど、インバランス量は可能な限りゼロに近くすることが望ましい。
【０００３】
一方、樹脂製の基板を用いて作製された光記録情報媒体には必ずインバランスが存在し、その発生は光情報記録媒体のベースとなる基板の製作過程に大きく関係する。一般に、基板は、高温で溶融したポリカーボネート等の樹脂を金型に射出し、その後、金型内部で冷却・加圧により固形化する方法で成型されている。
しかし、射出時の樹脂の粘度は気温や原材料ペレットのロッドの違いなどにより不特定な違いが生じ、また、金型の温度分布も成型装置の状態により経時的に不均一になる。これらの要因によって、金型に流れ込む樹脂にはその方向や圧力に不均一な変化が生じるため、成型された基板の面内に密と粗の部分が発生し、厚みムラの原因になる。その結果、重量的に不特定な量のインバランスが存在することになる。このため、現在、市場に流通している樹脂の基板を用いて作製された光情報記録媒体の多くは、不特定量のインバランスを有し、その状態で記録再生用ドライブ、あるいは評価装置で使用されている。
【０００４】
このような光情報記録媒体に生じるインバランスを低減する方法としては、例えば、ＣＤ、ＤＶＤ、ＣＤ−Ｒ等に用いるポリカーボネート製基板の製造ロット毎に、所定の基準マークの周方向位置関係を製造前等に調査決定して２枚の基板を貼り合わせることにより、貼り合わせ後の上下振れ加速度を小さくする手法が報告されている（特許文献１参照）。
【０００５】
【特許文献１】特開平１０−０２１５９２号公報
【発明の開示】
【発明が解決しようとする課題】
【０００６】
ところで、ＣＤ、ＤＶＤ、ＣＤ−Ｒ等の光情報記録媒体は、従来の記録再生時における回転域においては、光情報記録媒体に生じたインバランス量が起因とされる騒音や振動が発生したとしても、大きな問題とされることはなかった。
しかし、データの高速処理化に伴い光情報記録媒体も高速回転域で使用されるようになると、回転数の上昇に比例して騒音や振動が著しく増大し、その結果、性能や品質の低下等の問題が起きるようになった。また、異常振動が原因になって光情報記録媒体に破裂事故が生じた場合には、ユーザーに危険が及ぶことも考えられる。
【０００７】
本発明はこのような問題を解決するためになされたものである。
即ち、本発明の目的は、インバランスが低減された情報記録媒体の製造方法を提供することにある。
また、本発明の他の目的は、インバランスが低減された情報記録媒体の製造システムを提供することにある。
さらに、本発明の他の目的は、インバランスが低減された情報記録媒体を提供することにある。
【課題を解決するための手段】
【０００８】
上述した目的を達成するために、本発明においては、予めインバランス情報が記録された基板をインバランスがキャンセルされるように貼り合わせて情報記録媒体を製造する方法を採用している。
即ち、本発明によれば、複数枚の円盤状の基板を貼り合わせる情報記録媒体の製造方法であって、基板に記録されている基板の回転軸に対する基板重量のインバランスに対応した角度情報を検出する角度情報検出ステップと、角度情報検出ステップにより検出された角度情報に基づき、複数枚の基板のインバランスをキャンセルするように基板相互の貼り合わせ角度を調整する角度調整ステップと、角度調整ステップにより貼り合わせ角度を調整された複数枚の基板を貼り合わせる基板貼り合わせステップと、を有することを特徴とする情報記録媒体の製造方法が提供される。
【０００９】
このように、インバランスをキャンセルする方向に基板を貼り合わせることにより、情報記録媒体のインバランスを低減することができる。
ここで、基板貼り合わせステップは、複数枚の基板をプレスしつつ回転させることが好ましい。即ち、接着剤を用いて基板同士を貼り合わせる際に、接着剤の余剰分が、基板の外周にはみ出したまま硬化することを防止し、情報記録媒体のインバランスをさらに低減することができる。
また、基板貼り合わせステップは、複数枚の基板を所定の吸引手段により吸着しつつ回転させることが好ましい。
【００１０】
次に、本発明によれば、複数枚の円盤状の基板を貼り合わせた情報記録媒体の製造システムであって、基板に記録されている基板の回転軸に対する基板重量のインバランスに対応した角度情報を検出する角度情報検出手段と、角度情報検出手段により検出された角度情報に基づき、複数枚の基板のインバランスをキャンセルするように基板相互の貼り合わせ角度まで回転させる基板回転手段と、基板上に基板を貼り合わせるための接着剤を塗布する接着剤塗布手段と、接着剤塗布手段により接着剤が塗布された基板を接着剤を介して貼り合わせた後所定の圧力を加えるプレス手段と、を有することを特徴とする情報記録媒体の製造システムが提供される。
【００１１】
ここで、角度情報検出手段は、角度情報を光学的に読み取るスキャナー部と、スキャナー部により読み取られた角度情報に基づき、基板相互の貼り合わせ角度にあわせるための補正角度量を演算処理する演算処理部と、を備えることが好ましい。
また、基板回転手段は、角度情報に基づき基板相互の貼り合わせ角度まで回転させた後にロックする機能と、ロックされた基板を搬送または他の基板と重ねる機能と、を備えることが好ましい。
このような手段を備えることにより、複数の基板を貼り合わせる際に、基板相互の位置ずれを少なくし、基板相互の貼り合わせ角度の精度を高めることができる。
【００１２】
また、本発明によれば、複数枚の円盤状の基板をインバランスがキャンセルされるように貼り合せた情報記録媒体であって、基板上に形成された情報を記録する情報記録領域を備え、基板上の情報記録領域以外の領域にインバランスに対応した角度情報が記録されていることを特徴とする情報記録媒体が提供される。
ここで、本発明が適用される情報記録媒体は、情報記録膜を備える少なくとも１枚の基板と情報記録膜を備えないダミー基板とを貼り合わせ、少なくともダミー基板に、ダミー基板の回転軸に対する基板重量のインバランスに対応した角度情報が記録されている情報記録媒体とすることもできる。
また、情報記録媒体は、情報記録領域以外の領域に、角度情報が記録された、同心円状の凹凸形状からなるリブ部をさらに備えることが好ましい。
さらに、角度情報は、光学的に識別可能な情報として記録されていることが好ましい。このような光学的に識別可能な情報としては、たとえば、基板に凹凸が記録されている場合、または、基板にバーコード状の情報が記録された凹凸を有する場合が好ましい。
【発明の効果】
【００１３】
本発明によれば、インバランスが低減された情報記録媒体の製造方法が得られる。
【発明を実施するための最良の形態】
【００１４】
以下に、本発明を実施するための最良の形態（実施の形態）について詳細に説明する。尚、本発明は、本実施の形態に限定されない。
図１は、本実施の形態が適用される情報記録媒体を説明するための図である。図１には、両面式貼り合わせ型情報記録媒体１００が示されている。図１（ａ）に示すように、両面式貼り合わせ型情報記録媒体１００は、略中央部に中心孔を設け、情報が記録される情報記録領域を備えた円盤状の第１基板１１０と、第１基板１１０と同様な構造を有する第２基板１２０とから構成されている。第１基板１１０及び第２基板１２０には、情報が記録される情報記録領域以外の領域であって、それぞれ中心孔の周辺に同心円状に形成された第１リブ部１０１，第２リブ部１０２が設けられている。図１（ｂ）に示すように、両面式貼り合わせ型情報記録媒体１００は、後述するように、第１基板１１０及び第２基板１２０を、それぞれのインバランスをキャンセルするように基板相互の貼り合わせ角度が調整され、貼り合わされて一体化している。
【００１５】
第１基板１１０及び第２基板１２０にそれぞれ設けられている第１リブ部１０１，第２リブ部１０２には、各基板の回転軸に対する基板重量のインバランスに対応した角度情報（以下、単に、角度情報と記することがある。）が記録されている。角度情報としては、例えば、各基板が有する重量分布の偏りの方向、実際の重量値等が挙げられる。これらは、例えば、射出成型法等により成型する際に生じる不均一性等を要因とするものと考えられる。
第１基板１１０及び第２基板１２０の角度情報は、各基板を成型後、例えば、所定のインバランス測定装置により、各基板の回転軸に対する基板重量のインバランスを測定し、光学的に識別可能な手法を用いて各基板に記録されている。このような光学的に識別可能な手法としては、例えば、同心円状の凹凸形状、バーコード状等が挙げられる。各基板に角度情報を記録する方法としては、例えば、基板を物理的に変化させて凹凸形状を施す方法、薬品により基板を化学的に変化させる方法、加熱により基板に焼き付ける方法、染料または顔料により着色する方法、基板内部に色または素材が異なる物質を埋め込む方法等が挙げられる。
また、このような凹凸形状またはバーコード状に記録する角度情報の大きさは、通常、例えばスキャナーによる読み取り可能な大きさであることが望ましい。具体的には、最小パターンのサイズは、通常のスキャナーの読みとり分解能の最小単位である１０ミクロン以上であることが好ましい。
【００１６】
図２は、両面式貼り合わせ型情報記録媒体１００の構造を説明するための図である。図２に示すように、両面式貼り合わせ型情報記録媒体１００は、相変化型記録材料を使用し、複数の層の積層体からなる第１基板１１０及び第２基板１２０を貼り合わせた構造を有している。第１基板１１０は、ポリカーボネート樹脂からなる第１ポリカーボネート基板１１１上に、第１下部誘電体層１１２、第１下部界面層１１３、第１記録層１１４、第１上部界面層１１５、第１上部誘電体層１１６、第１調整層１１７、第１放熱層１１８及び第１保護層１１９が順次積層された構造を有する。
【００１７】
第１記録層１１４は、Ｂｉ７Ｇｅ４３Ｔｅ５０等のＢｉＧｅＴｅ系相変化型記録材料において、２つの異なる原子配列の状態（結晶状態と非結晶状態）により情報が記録される層である。第１記録層１１４はＢｉＧｅＴｅ系相変化型記録材料の組成を調整することで２倍速〜１６倍速に対応することができる。
（ＺｎＳ）８０（ＳｉＯ２）２０等からなる第１下部誘電体層１１２及び第１上部誘電体層１１６は、第１記録層１１４を保護するための層である。（Ｃｒ２Ｏ３）６０（Ｔａ２Ｏ５）４０等からなる第１下部界面層１１３は、第１下部誘電体層１１２と第１記録層１１４との間で両層の構成元素が互いに侵入、拡散及び化学反応することを防止するための層である。Ｃｒ２Ｏ３等からなる第１上部界面層１１５は、第１上部誘電体層１１６と第１記録層１１４との間で両層の構成元素が互いに侵入、拡散及び化学反応することを防止するための層である。Ｃｒ８５（Ｃｒ２Ｏ３）１５等からなる第１調整層１１７は、レーザー光の一部を吸収することにより、第１記録層１１４内の結晶部の吸収率を非結晶部の吸収率より大きくするための層である。Ａｇ９９Ｃｕ１等からなる第１放熱層１１８は、情報の記録・再生時に発生する熱を逃がすための層である。紫外線硬化性樹脂等からなる第１保護層１１９は、上記各層を保護するための層である。
【００１８】
一方、第２基板１２０は、前述した第１基板１１０と同様に、ポリカーボネート樹脂からなる第２ポリカーボネート基板１２１上に、第２下部誘電体層１２２、第２下部界面層１２３、第２記録層１２４、第２上部界面層１２５、第２上部誘電体層１２６、第２調整層１２７、第２放熱層１２８及び第２保護層１２９が順次積層された構造を有する。第２基板１２０を構成するこれらの各層の構成・役割は、第１基板１１０と同様である。図２に示すように、第１基板１１０及び第２基板１２０は、第１基板１１０の第１保護層１１９と第２基板１２０の第２保護層１２９とが相対するように、接着剤１３０を介して貼り合わされ、一体化されている。
【００１９】
図３は、片面式貼り合わせ型情報記録媒体を説明するための図である。図３には、片面式貼り合わせ型情報記録媒体２００が示されている。図３に示すように、片面式貼り合わせ型情報記録媒体２００は、略中央部に中心孔を設け、相変化型記録材料からなる記録層を備え、情報が記録される情報記録領域を有する円盤状の第１基板２１０と、記録層を備えないダミー基板２２０とから構成されている。第１基板２１０及びダミー基板２２０には、情報が記録される情報記録領域以外の領域であって、それぞれ中心孔の周辺に同心円状に形成された第１リブ部２０１，第２リブ部２０２と、バーコード状に角度情報が記録された第１バーコード２０３，第２バーコード２０４が設けられている。
図３に示すように、片面式貼り合わせ型情報記録媒体２００は、後述するように、第１基板２１０及びダミー基板２２０を、それぞれのインバランスをキャンセルするように基板相互の貼り合わせ角度が調整され、貼り合わされて一体化している。
【００２０】
図４は、片面式貼り合わせ型情報記録媒体２００の構造を説明するための図である。図４に示すように、片面式貼り合わせ型情報記録媒体２００は、図２において説明した両面式貼り合わせ型情報記録媒体１００と同様に相変化型記録材料からなる記録層を備え、複数の層の積層体からなる第１基板２１０と、記録層を備えず、ポリカーボネート樹脂等からなるダミー基板２２０とを貼り合わせた構造を有している。第１基板２１０は、ポリカーボネート樹脂からなるポリカーボネート基板２１１上に、下部誘電体層２１２、下部界面層２１３、記録層２１４、上部界面層２１５、上部誘電体層２１６、調整層２１７、放熱層２１８及び保護層２１９が順次積層された構造を有する。これらの各層を構成する材料等は、前述した両面式貼り合わせ型情報記録媒体１００において説明した各層と同様なのでここでは説明を省略する。
図４に示すように、第１基板２１０及びダミー基板２２０は、第１基板２１０の保護層２１９上に塗布された接着剤２３０を介して貼り合わされ、一体化されている。
【００２１】
図５は、本実施の形態が適用される情報記録媒体の製造システムを説明するための図である。図５に基づき、それぞれインバランスに対応した角度情報が記録された２枚の基板（第１基板１１０及び第２基板１２０）を貼り合わせた両面式貼り合わせ型情報記録媒体１００の製造システムについて説明する。
図５（ａ）に示すように、本実施の形態が適用される情報記録媒体の製造システムは、各基板の情報記録領域以外の領域に形成された角度情報が記録された第１リブ部１０１を有する第１基板１１０と、同様に角度情報が記録された第２リブ部１０２を有する第２基板１２０とから、それぞれ角度情報を検出する検出装置１４１，検出装置１５１を有する。また、第１基板１１０，第２基板１２０の貼着面に、それぞれ接着剤１６２，接着剤１７２を塗布する接着剤塗布装置１６１，接着剤塗布装置１７１とを備えている。さらに、第１基板１１０，第２基板１２０をそれぞれ載置し、検出された角度情報に基づき、第１基板１１０，第２基板１２０を、それぞれのインバランスをキャンセルするように、所定の基板相互の貼り合わせ角度まで回転する回転装置１８１，回転装置１８２を備えている。また、図５（ｂ）に示すように、製造システムは、第１基板１１０，第２基板１２０をそれぞれ重ね合わせた後、所定の圧力でプレスするプレス装置１９１，プレス装置１９２を備えている。
【００２２】
尚、図示しないが、図５（ａ）に示した検出装置１４１，検出装置１５１は、それぞれレーザービーム１４２，レーザービーム１５２により、第１基板１１０，第２基板１２０に記録された角度情報を光学的に読み取るためのスキャナー部と、スキャナー部により読み取られた角度情報に基づき、２枚の基板相互の貼り合わせ角度にあわせるための補正角度量を演算処理する演算処理部とを備えている。
接着剤塗布装置１６１，接着剤塗布装置１７１は、それぞれの基板表面に、例えば、遅効性タイプの接着剤をスクリーン方式で塗布する。
また、回転装置１８１，回転装置１８２は、検出された角度情報に基づき、第１基板１１０，第２基板１２０を、それぞれのインバランスをキャンセルするように、所定の基板相互の貼り合わせ角度まで回転移動（矢印Ａ１，Ａ２）させたのちに回転をロックさせる機能と、ロックされたそれぞれの基板を、所定の貼り合わせ角度に固定した状態でこれらを貼り合わせるために搬送または重ねる機能とを備えている。
【００２３】
また、図５（ｂ）に示すプレス装置１９１，プレス装置１９２は、例えば、ロボットアーム等により第１基板１１０上に搬送された第２基板１２０を、第１基板１１０の接着剤１６２が塗布された面と、第２基板１２０の接着剤１７２が塗布された面とを相対させて貼着し、矢印Ｃ１，Ｃ２の方向に所定の圧力でプレスして、図５（ｃ）に示すように、２枚の基板（第１基板１１０及び第２基板１２０）を貼り合わせた両面式貼り合わせ型情報記録媒体１００を調製する。
ここで、プレス装置１９１，プレス装置１９２は、第１基板１１０及び第２基板１２０を重ねてプレスしつつ、矢印Ｂの方向に高速で回転させることができる。即ち、高速で回転すると、重ねられた第１基板１１０及び第２基板１２０の外周部にはみ出した余分な接着剤が遠心力により振り切られて除去され、不均一にはみ出したまま硬化することが防止される。その結果、情報記録媒体のインバランスをさらに低減することができる。尚、第１基板１１０及び第２基板１２０を、所定の吸引手段により、プレス装置１９１，プレス装置１９２に吸着させて固定することもできる。
【００２４】
図６は、本実施の形態が適用される情報記録媒体の製造方法を説明するためのフロー図である。先ず、複数の基板を貼り合わせることにより作製される貼り合わせ型情報記録媒体の各基板を、所定の手法により作製し、それぞれの基板の回転軸に対する基板重量のインバランスを測定する（ステップ１０１）。インバランスは前述したように、所定のインバランス測定装置を用いて行われる。次に、測定されたインバランスに対応した角度情報を、各基板の情報が記録される情報記録領域以外の領域に、光学的に識別可能な手法により記録する（ステップ１０２）。このような光学的に識別可能な手法としては、前述したように、例えば、中心孔周辺に設けた同心円状の凹凸形状、バーコード状等が挙げられる。
続いて、それぞれの基板に記録された角度情報を、所定の検出装置により読み取る（ステップ１０３）。検出装置としては、例えば、レーザービーム等を用いて記録された角度情報を光学的に読み取るためのスキャナー部を備えるものが挙げられる。次いで、スキャナー部により読み取られた角度情報に基づき、それぞれのインバランスをキャンセルするように基板相互の貼り合わせ角度を演算する（ステップ１０４）。次に、演算された基板相互の貼り合わせ角度まで、それぞれの基板を回転し、位置決めを行い（ステップ１０５）、その位置で各基板を固定する（ステップ１０６）。続いて、それぞれの基板の貼着面に所定の接着剤を塗布した後、例えば、ロボットアーム等の所定の搬送装置により、これらの基板が接着剤を介して貼着するように重ね合わせ、所定のプレス装置を用いてプレスし、基板相互を貼り合わせ（ステップ１０７）、貼り合わせ型情報記録媒体を作製する。
【実施例】
【００２５】
以下に、実施例に基づき本実施の形態をさらに説明する。尚、本実施の形態は実施例に限定されない。
（実施例）
以下の通り、図２において説明した構造を有する両面式貼り合わせ型情報記録媒体を調製した。先ず、射出成形により直径１２０ｍｍのディスク状のポリカーボネート基板を成型した。ポリカーボネート基板の表面には、トラックピッチ６１５ｎｍ、溝深さ６５ｎｍのトラッキング用のプリグルーブが螺旋状に形成され、グルーブとランドとが交互に連続して繋がるような構造にした。次に、このポリカーボネート基板上に、図２に示す複数の層を積層して第１基板を調製した。続いて、インバランス測定装置（ソニー株式会社製ＤＵＣ−１０）を用いて、第１基板の回転軸に対する基板重量のインバランスに対応した角度情報を測定した。次に、この測定した角度情報を、第１基板の中心孔周辺に同心円状の凹凸形状として記録した。
続いて、第１基板を調製した方法と同様な方法により、第１基板と同様な構造を有する第２基板を調製し、第２基板についても、インバランス測定装置（ソニー株式会社製ＤＵＣ−１０）を用いて、第２基板の回転軸に対する基板重量のインバランスに対応した角度情報を測定した。次に、この測定した角度情報を、第２基板に中心孔周辺に同心円状の凹凸形状として記録した。
【００２６】
次に、図５において説明した情報記録媒体製造システムを用いて、第１基板及び第２基板の角度情報を検出し、これらのインバランスをキャンセルするように２枚の基板相互の貼り合わせ角度を調整した後、それぞれの基板表面に遅効性タイプの接着剤をスクリーン方式で塗布して重ね合わせ、紫外線を照射しつつプレスすることによって、第１基板及び第２基板のインバランスがキャンセルされた両面式貼り合わせ型情報記録媒体を調製した。
【００２７】
次に、このように調製した両面式貼り合わせ型情報記録媒体について、２倍速対応のディスク面は、２倍速相当の線速８．２ｍ／ｓで情報の記録再生を行った。また、１６倍速対応のディスク面は、１６倍速相当の線速６７．９ｍ／ｓで情報の記録再生を行なった。
両面式貼り合わせ型情報記録媒体の記録再生を行ったところ、２倍速〜１６倍速対応のディスク面において、ランドおよびグルーブのジッターが９％以下であり、仕様値より低い数値が得られた。
この結果、予めインバランスに対応した角度情報が記録された第１基板及び第２基板を、それぞれのインバランスがキャンセルされるように貼り合わせることにより調製された両面式貼り合わせ型情報記録媒体は、従来使用されている回転域から高速回転域にわたり、安定した記録再生を行えることが分かる。
【００２８】
以上、説明したように、本発明によれば、複数枚の基板を貼り合わせて情報記録媒体を作製する際に、予め、それぞれの基板の情報記録領域以外に形成された、各基板の角度情報を検出し、これらをインバランスを打ち消し合う方向に貼り合わせることにより、貼り合わせ後のトータルで見たインバランスを軽減することが出来る。
また、インバランスの方向性および質量が極めて酷似した特性を持つ複数の基板の場合は、これらを約１８０度逆向きに貼り合わせることによって、お互いのインバランスを打ち消し合い、貼り合わせ型情報記録媒体としてのトータルのインバランスを極めてゼロに近くキャンセルさせることが可能になる。
その結果、インバランスがキャンセルされた情報記録媒体は、回転時の騒音や振動は軽減または消滅され、さらに、回転装置の回転部分への機械的な振動ダメージ及びせん断モーメントを軽減させることができる。
【図面の簡単な説明】
【００２９】
【図１】本実施の形態が適用される情報記録媒体を説明するための図である。
【図２】両面式貼り合わせ型情報記録媒体の構造を説明するための図である。
【図３】片面式貼り合わせ型情報記録媒体を説明するための図である。
【図４】片面式貼り合わせ型情報記録媒体の構造を説明するための図である。
【図５】本実施の形態が適用される情報記録媒体の製造システムを説明するための図である。
【図６】本実施の形態が適用される情報記録媒体の製造方法を説明するためのフロー図である。
【符号の説明】
【００３０】
１００…両面式貼り合わせ型情報記録媒体、１０１，２０１…第１リブ部、１０２，２０２…第２リブ部、１１０，２１０…第１基板、１２０…第２基板、１４１，１５１…検出装置、１４２，１５２…レーザービーム、１６１，１７１…接着剤塗布装置、１６２，１７２…接着剤、１８１，１８２…回転装置、１９１，１９２…プレス装置、２００…片面式貼り合わせ型情報記録媒体、２０３…第１バーコード、２０４…第２バーコード、２２０…ダミー基板
【図１】
2006172539.tif 000003
【図２】
2006172539.tif 000004
【図３】
2006172539.tif 000005
【図４】
2006172539.tif 000006
【図５】
2006172539.tif 000007
【図６】
2006172539.tif 000008